(57)【要約】【課題】嵩及び組立工程数を減少させ、画像の表示品質を向上させたバックライトアセンブリ及びこれを有する表示装置を提供する。【解決手段】下面及び該下面と対向する上面を有する底板、該底板の外側から突出された側壁部、及び前記上面から三角プリズム形状に突出された複数の光特性調節部を有する収納容器と、前記収納容器に収納され、隣接する前記光特性調節部の間に配置された光源とを有する。【選択図】図１
2006196456.tif 000002
【特許請求の範囲】
【請求項１】
下面及び該下面と対向する上面を有する底板、該底板の外側から突出された側壁部、及び前記上面から三角プリズム形状に突出された複数の光特性調節部を有する収納容器と、
前記収納容器に収納され、隣接する前記光特性調節部の間に配置された光源とを有することを特徴とするバックライトアセンブリ。
【請求項２】
前記上面と前記光源の中心部とは互いに所定間隔だけ離隔され、該間隔は前記光特性調節部の高さと実質的に同じであることを特徴とする請求項１に記載のバックライトアセンブリ。
【請求項３】
前記光特性調節部の高さは２．５ｍｍ〜４．５ｍｍであることを特徴とする請求項２に記載のバックライトアセンブリ。
【請求項４】
前記上面と前記光源の中心部とは互いに所定間隔だけ離隔され、前記間隔は前記光特性調節部の高さと実質的に同じであることを特徴とする請求項３に記載のバックライトアセンブリ。
【請求項５】
前記光特性調節部の高さは３．５ｍｍ〜４．０ｍｍであることを特徴とする請求項１に記載のバックライトアセンブリ。
【請求項６】
前記側壁部は、第１方向に延長され、互いに平行な一対の第１側壁と、
第１方向と垂直な第２方向に延長され、互いに平行な一対の第２側壁をと有し、
前記それぞれの第１側壁は前記第２側壁と連結され前記側壁部を形成し、前記光特性調節部は前記第１側壁と平行になるように延長されることを特徴とする請求項１に記載のバックライトアセンブリ。
【請求項７】
前記光特性調節部は、第１面、及び該第１面と連結され所定の角を形成する第２面を有することを特徴とする請求項１に記載のバックライトアセンブリ。
【請求項８】
前記第１面と第２面の間に形成された前記所定の角度は１１０°〜１３０°であることを特徴とする請求項７に記載のバックライトアセンブリ。
【請求項９】
前記角度は１１５°〜１２５°であることを特徴とする請求項７に記載のバックライトアセンブリ。
【請求項１０】
前記上面は、光反射層を更に有することを特徴とする請求項１に記載のバックライトアセンブリ。
【請求項１１】
前記光源は、円筒形状を有する冷陰極線管ランプ（ＣＣＦＬ）であることを特徴とする請求項１に記載のバックライトアセンブリ。
【請求項１２】
前記側壁部上に配置された拡散板を更に有することを特徴とする請求項１に記載のバックライトアセンブリ。
【請求項１３】
前記収納容器は、収納容器の表面にビーズ（ｂｅａｄｓ）が形成されたポリエチレンテレフタレート（ＰＥＴ）よりなることを特徴とする請求項１に記載のバックライトアセンブリ。
【請求項１４】
下面及び該下面と対向する上面を有する底板、第１方向に延長され互いに平行な一対の第１側壁、及び第１方向と垂直な第２方向に延長され互いに平行な一対の第２側壁を有し、前記それぞれの第１側壁は前記第２側壁と連結され形成された側壁部と、前記上面に互いに平行な複数個の反射領域を形成するために前記上面から三角プリズム形状に突出された多数の光特性調節部とを有する収納容器と、
前記収納容器に収納され、隣接する前記光特性調節部の間に配置された光源と、
前記収納容器に収納され、前記光を拡散させる拡散部材と、
前記収納容器に収納され、前記拡散部材から拡散された拡散光を受けて画像に変換させる表示パネルとを有することを特徴とする表示装置。
【請求項１５】
前記上面及び前記光源の中心部は互いに所定間隔だけ離隔され、前記間隔は前記光特性調節部の高さと実質的に同じであることを特徴とする請求項１４に記載の表示装置。
【請求項１６】
前記光特性調節部の高さは、２．５ｍｍ〜４．５ｍｍであることを特徴とする請求項１５に記載の表示装置。
【請求項１７】
前記光特性調節部は、第１光反射面及び該第１光反射面と連結された第２光反射面を有し、前記第１と第２光反射面の間に形成された角度は１１０°〜１３０°であることを特徴とする請求項１４に記載の表示装置。
【発明の詳細な説明】
【技術分野】
【０００１】
本発明は、バックライトアセンブリ及びこれを有する表示装置に関し、より詳細には、構造をより単純化させ、光の輝度及び光の輝度均一性を向上させたバックライトアセンブリ及びこれを有する表示装置に関する。
【背景技術】
【０００２】
一般に、表示装置は、情報処理装置で処理されたデータに対応する画像を発生する。表示装置の一つである液晶表示装置は、液晶及び光を利用して画像を表示する。
【０００３】
液晶表示装置は、液晶を制御する液晶表示パネル、液晶表示パネルに光を提供する光供給装置、及び液晶表示パネルと光供給装置を収納する収納容器を含む。
【０００４】
収納容器の底面には、光供給装置から発生した光を液晶表示パネルに向かって反射させる反射板が配置され、液晶表示パネルから発生した画像の表示品質をより向上させる。
【０００５】
しかし、従来の液晶表示装置は、反射板によって液晶表示装置の嵩、組立工程数、部品数等が大幅に増加するという問題点があった。
【発明の開示】
【発明が解決しようとする課題】
【０００６】
そこで、本発明は上記従来のバックライトアセンブリ及びこれを有する表示装置における問題点に鑑みてなされたものであって、本発明の目的は、嵩及び組立工程数を減少させ、画像の表示品質を向上させたバックライトアセンブリを提供することにある。
【０００７】
また、本発明の他の目的は、前記バックライトアセンブリを有する表示装置を提供することにある。
【課題を解決するための手段】
【０００８】
上記目的を達成するためになされた本発明によるバックライトアセンブリは、下面及び該下面と対向する上面を有する底板、該底板の外側から突出された側壁部、及び前記上面から三角プリズム形状に突出された複数の光特性調節部を有する収納容器と、前記収納容器に収納され、隣接する前記光特性調節部の間に配置された光源とを有することを特徴とする。
【０００９】
前記上面と前記光源の中心部とは互いに所定間隔だけ離隔され、該間隔は前記光特性調節部の高さと実質的に同じであることを特徴とする。
前記光特性調節部の高さは２．５ｍｍ〜４．５ｍｍであることを特徴とする。
前記上面と前記光源の中心部とは互いに所定間隔だけ離隔され、前記間隔は前記光特性調節部の高さと実質的に同じであることを特徴とする。
前記光特性調節部の高さは３．５ｍｍ〜４．０ｍｍであることを特徴とする。
【００１０】
前記側壁部は、第１方向に延長され、互いに平行な一対の第１側壁と、第１方向と垂直な第２方向に延長され、互いに平行な一対の第２側壁をと有し、前記それぞれの第１側壁は前記第２側壁と連結され前記側壁部を形成し、前記光特性調節部は前記第１側壁と平行になるように延長されることを特徴とする。
前記光特性調節部は、第１面、及び該第１面と連結され所定の角を形成する第２面を有することを特徴とする。
前記第１面と第２面の間に形成された前記所定の角度は１１０°〜１３０°であることを特徴とする。
前記角度は１１５°〜１２５°であることを特徴とする。
【００１１】
前記上面は、光反射層を更に有することを特徴とする。
前記光源は、円筒形状を有する冷陰極線管ランプ（ＣＣＦＬ）であることを特徴とする。
前記側壁部上に配置された拡散板を更に有することを特徴とする。
前記収納容器は、収納容器の表面にビーズ（ｂｅａｄｓ）が形成されたポリエチレンテレフタレート（ＰＥＴ）よりなることを特徴とする。
【００１２】
上記目的を達成するためになされた本発明による表示装置は、下面及び該下面と対向する上面を有する底板、第１方向に延長され互いに平行な一対の第１側壁、及び第１方向と垂直な第２方向に延長され互いに平行な一対の第２側壁を有し、前記それぞれの第１側壁は前記第２側壁と連結され形成された側壁部と、前記上面に互いに平行な複数個の反射領域を形成するために前記上面から三角プリズム形状に突出された多数の光特性調節部とを有する収納容器と、前記収納容器に収納され、隣接する前記光特性調節部の間に配置された光源と、前記収納容器に収納され、前記光を拡散させる拡散部材と、前記収納容器に収納され、前記拡散部材から拡散された拡散光を受けて画像に変換させる表示パネルとを有することを特徴とする。
【発明の効果】
【００１３】
本発明に係るバックライトアセンブリ及びこれを有する表示装置によれば、バックライトアセンブリから出射された光の輝度及び輝度均一性をより向上させ、表示パネルから出射される画像の輝度及び輝度均一性を向上させて、画像の表示品質を向上させる効果がある。
【発明を実施するための最良の形態】
【００１４】
次に、本発明に係るバックライトアセンブリ及びこれを有する表示装置を実施するための最良の形態の具体例を図面を参照しながら説明する。
〔バックライトアセンブリ〕
【実施例１】
【００１５】
図１は、本発明の第１の実施例によるバックライトアセンブリを示す断面図であり、図２は、図１の収納容器の平面図である。
【００１６】
図１及び図２を参照すると、バックライトアセンブリ４００は、画像に変換させる光を提供する光源１００及び光源１００を固定する収納容器２００を含む。
【００１７】
収納容器２００は、底板２１０及び光特性調節部２１６を含む。
【００１８】
収納容器２００は、例えば、アルミニウム、アルミニウム合金のように、反射率の良い金属よりなることができる。又は、収納容器２００は、ポリエチレンテレフタレート（ＰＥＴ）のような樹脂よりなることができる。前記樹脂は、反射率を向上させるために表面にビーズ（ｂｅａｄｓ）を含むことができる。
【００１９】
底板２１０は、例えば、直六面体形状を有し、底板２１０は上面２１２及び下面２１４を有する。底板２１０の上面２１２は光源１００と向かい合い、底板２１０の下面２１４は上面２１２と対向する。
【００２０】
直六面体形状を有する底板２１０の周辺部は側壁（部）２２０と連結される。直六面体形状を有する底板２１０によって側壁（部）２２０は、第１長さを有する一対の第１側壁２２２ａ、２２２ｂ、第１長さより短い第２長さを有する一対の第２側壁２２２ｃ、２２２ｄを含む。第１側壁２２２ａ、２２２ｂは、第２側壁２２２ｃ、２２２ｄにそれぞれ連結される。
【００２１】
光特性調節部２１６は、収納容器２００の底板２１０の上面２１２上に形成される。光特性調節部２１６は、バックライトアセンブリ４００から出射された光の輝度及び輝度均一性をより向上させる。
【００２２】
光特性調節部２１６は、第１側壁２２２ａ、２２２ｂに対して平行な第１方向に延長され、光特性調節部２１６は、第２側壁２２２ｃ、２２２ｄに対して平行な第２方向に少なくとも２個以上が配置される。互いに隣接した一対の光特性調節部２１６の間に形成された間隔は互いに同じであり、互いに隣接した一対の光特性調節部２１６は互いに平行に配置される。
【００２３】
光特性調節部２１６は、例えば、三角プリズム形態で上面２１２から突出される。光特性調節部２１６は、第１面２１６ａ、及び第１面２１６ａに連結された第２面２１６ｂを有する。第１面２１６ａ及び第２面２１６ｂは、好ましくは、光源１００から発生した光を反射及び光の方向を変更させてバックライトアセンブリ４００から出射される光の輝度及び光の輝度均一性を向上させる。
【００２４】
光特性調節部２１６によって収納容器２００の上面２１２には、複数個の光調節領域が形成される。光特性調節部２１６によって形成された光調節領域によってバックライトアセンブリ４００から出射される光の輝度及び光の輝度均一性は調節される。
【００２５】
光源１００は、収納容器２００の底板２１０及び側壁２２０によって形成された収納領域に配置される。
【００２６】
本実施例による光源１００は、例えば、冷陰極線管方式ランプ（ＣＣＦＬ）である。冷陰極線管方式ランプは、多様な特徴、例えば、高い輝度、長い寿命、白色光を発生、白熱灯に対して非常に小さい発熱量を有することができる。
【００２７】
又、本実施例による光源１００は、多様な形状、例えば、直線パイプ形状、曲線パイプ形状、Ｕ字形状、及びＣ字形状等を有することができる。本実施例による光源１００は直線パイプ形状を有する。
【００２８】
直線パイプ形状を有する冷陰極線管方式ランプである光源１００は、収納容器２００の底板２１０に形成された光特性調節部２１６の間に配置される。
【００２９】
図３は、図１のＡ部分の拡大図である。
【００３０】
図３を参照すると、光源１００の中心と底板２１０の上面２１２間の間隔Ｇは、底板２１０の上面２１２から突出された光特性調節部２１６の高さＨと実質的に同じである。
【００３１】
光源１００の中心と底板２１０の上面２１２間の距離Ｇと、底板２１０の上面２１２から突出された光特性調節部２１６の高さＨが同じである場合、バックライトアセンブリ４００から出射される光の輝度及び光の輝度均一性を大幅向上させることができる。
【００３２】
図４は、図１に示した光特性調節部の高さの変化によってバックライトアセンブリから出射された光の輝度を測定したグラフである。
【００３３】
図４を参照すると、光特性調節部２１６の高さＨは、約２．５ｍｍ、３ｍｍ、３．５ｍｍ、４ｍｍ、４．５ｍｍであり、光源１００の中心と底板２１０の上面２１２が形成する距離は３．５ｍｍである。
【００３４】
光特性調節部２１６の高さＨが約２．５ｍｍである場合、バックライトアセンブリ４００から出射された光の第１輝度は約１３７００［ｎｉｔ］であり、光特性調節部２１６の高さＨが約３．０ｍｍである場合、バックライトアセンブリ４００から出射された光の第２輝度は約１４１５０［ｎｉｔ］である。又、光特性調節部２１６の高さＨが３．５ｍｍである場合、バックライトアセンブリ４００から出射された光の第３輝度は約１４３００［ｎｉｔ］である。
【００３５】
一方、光特性調節部２１６の高さＨが４．０ｍｍである場合、バックライトアセンブリ４００から出射された光の第４輝度は約１４２５０［ｎｉｔ］であり、光特性調節部２１６の高さＨが４．５ｍｍである場合、バックライトアセンブリ４００から出射された光の第５輝度は約１３９００［ｎｉｔ］である。
【００３６】
図３を更に参照すると、光源１００の中心と底板２１０の上面２１２が形成する距離と光特性調節部２１６の高さが実質的に同じである場合、バックライトアセンブリ４００から発生した光の輝度を最適化することができる。例えば、光源１００の中心と底板２１０の上面２１２が形成する距離と光特性調節部２１６の高さＨが、例えば、実質的に３．５ｍｍである場合、バックライトアセンブリ４００から出射された光の輝度を最適化することができる。
【００３７】
図５は、図１に示した光特性調節部２１６の高さによってバックライトアセンブリから出射された光の輝度均一性を測定したグラフである。
【００３８】
図５を参照すると、光特性調節部２１６の高さＨは約２．５ｍｍ、約３ｍｍ、約３．５ｍｍ、約４ｍｍ、約４．５ｍｍであり、光源１００の中心と底板２１０の上面２１２が形成する距離は約３．５ｍｍである。
【００３９】
光特性調節部２１６の高さＨが約２．５ｍｍである場合、バックライトアセンブリ４００から出射された光の第１輝度均一性は約９２％で、光特性調節部２１６の高さＨが約３．０ｍｍである場合、バックライトアセンブリ４００から出射された光の第２輝度均一性は約９２．４％である。又、光特性調節部２１６の高さＨが３．５ｍｍである場合、バックライトアセンブリ４００から出射された光の第３輝度均一性は約９３．５％である。
【００４０】
一方、光特性調節部２１６の高さＨが４．０ｍｍである場合、バックライトアセンブリ４００から出射された光の第４輝度均一性は約９３．１％で、光特性調節部２１６の高さＨが４．５ｍｍである場合、バックライトアセンブリ４００から出射された光の第５輝度均一性は約９２．２％である。
【００４１】
図５を更に参照すると、光源１００の中心と底板２１０の上面２１２が形成する距離と光特性調節部２１６の高さが実質的に同じである場合、バックライトアセンブリ４００から発生した光の輝度均一性を最適化することができる。例えば、光源１００の中心と底板２１０の上面２１２が形成する距離Ｇと光特性調節部２１６の高さＨが、例えば、実質的に３．５ｍｍである場合、バックライトアセンブリ４００から出射された光の輝度均一性は最適化される。
【００４２】
本実施例によると、光源１００の中心と底板２１０の上面２１２が形成する距離が約３．５ｍｍである場合、光特性調節部２１６の高さは約２．５ｍｍ〜約４．５ｍｍである。これと異なり、光源１００の中心と底板２１０の上面２１２が形成する間隔が約３．５ｍｍである場合、光特性調節部２１６の高さは、約３．５ｍｍ〜約４．０ｍｍであることが好ましい。光特性調節部２１６の高さが約２．５ｍｍ〜約４．５ｍｍである場合、バックライトアセンブリ４００から出射された光の輝度及び光の輝度均一性が最適化される。
【００４３】
反面、光特性調節部２１６の高さが約２．５ｍｍ以下である場合、バックライトアセンブリ４００から出射された光の輝度及び輝度均一性が大幅に減少され、画像の表示品質が大幅に低下する。又、光特性調節部２１６の高さが約４．５ｍｍ以上である場合、バックライトアセンブリ４００から出射された光の輝度及び輝度均一性が大幅に減少され、画像の表示品質が大幅に低下する。
【００４４】
一方、光源１００から発生しバックライトアセンブリ４００から出射された光は、側壁２２０上に配置された拡散板２３０に提供され、拡散板２３０に提供された光は拡散板２３０によって拡散される。
【実施例２】
【００４５】
図６は、図３に示した光特性調節部の形状変更によってバックライトアセンブリから出射された光の輝度を示すグラフである。本発明の第２の実施例によるバックライトアセンブリは、第１の実施例の光特性調節部の構造を除くと、第１の実施例のバックライトアセンブリと同じである。従って、同じ部材には第１の実施例と同じ符号を付与して、その重複説明は省略する。
【００４６】
図６のグラフにおいて、光特性調節部２１６の高さＨは約３．５ｍｍで、光源１００の中心及び底面２１０の上面２１２が形成する距離は約３．５ｍｍに設定している。
【００４７】
光特性調節部２１６の第１面２１６ａと第２面２１６ｂ間の角度θが１１０°である場合、バックライトアセンブリ４００から出射された光の第１輝度は約１３２００［ｎｉｔ］である。光特性調節部２１６の第１面２１６ａと第２面２１６ｂ間の角度θが約１１５°である場合、バックライトアセンブリ４００から出射された光の第２輝度は約１３６００［ｎｉｔ］である。又、光特性調節部２１６の第１面２１６ａと第２面２１６ｂ間の角度θが１２０°である場合、バックライトアセンブリ４００から出射された光の第３輝度は約１４３００［ｎｉｔ］である。
【００４８】
一方、光特性調節部２１６の第１面２１６ａと第２面２１６ｂ間の角度θが１２５°である場合、バックライトアセンブリ４００から出射された光の第４輝度は約１３９００［ｎｉｔ］で、光特性調節部２１６の第１面２１６ａと第２面２１６ｂ間の角度θが１３０°である場合、バックライトアセンブリ４００から出射された光の第５輝度は約１３７００［ｎｉｔ］である。
【００４９】
図６を更に参照すると、光特性調節部２１６の第１面２１６ａと第２面２１６ｂ間の角度θが変更される場合、バックライトアセンブリ４００から出射された光の輝度も変更される。例えば、光特性調節部２１６の第１面２１６ａと第２面２１６ｂ間の角度θが１２０°である場合、バックライトアセンブリ４００から出射された光の輝度は最適化される。
【００５０】
図７は、図３に示した光特性調節部の第１面と第２面間の角度θによってバックライトアセンブリから出射された光の輝度均一性を測定したグラフである。
【００５１】
図７を参照すると、光特性調節部２１６の第１面２１６ａと第２面２１６ｂ間の角度θが１１０°である場合、バックライトアセンブリ４００から出射された光の第１輝度均一性は約９１．８％で、光特性調節部２１６の第１面２１６ａと第２面２１６ｂ間の角度θが約１１５°である場合、バックライトアセンブリ４００から出射された光の第２輝度均一性は約９２．６％である。又、光特性調節部２１６の第１面２１６ａと第２面２１６ｂ間の角度が１２０°である場合、バックライトアセンブリ４００から出射された光の第３輝度均一性は約９３．５％である。
【００５２】
一方、光特性調節部２１６の第１面２１６ａと第２面２１６ｂ間の角度θが１２５°である場合、バックライトアセンブリ４００から出射された光の第４輝度均一性は約９３．１％で、光特性調節部２１６の第１面２１６ａと第２面２１６ｂ間の角度θが１３０°である場合、バックライトアセンブリ４００から出射された光の第５輝度均一性は約９２．６％である。
【００５３】
図７を更に参照すると、光特性調節部２１６の第１面２１６ａと第２面２１６ｂ間の角度θを調節することによって、バックライトアセンブリ４００から発生した光の輝度均一性を最適化することができる。例えば、光特性調節部２１６の第１面２１６ａと第２面２１６ｂ間の角度θが約１２０°である場合、バックライトアセンブリ４００から出射された光の輝度均一性は最適化される。
【００５４】
本実施例によると、光特性調節部２１６の第１面２１６ａと第２面２１６ｂ間の角度θは、例えば、１１０°〜１３０°であることが好ましい。反面、光特性調節部２１６の第１面２１６ａと第２面２１６ｂ間の角度θが１１０°以下である場合、バックライトアセンブリ４００から出射された光の輝度及び輝度均一性が大幅に減少され、画像の表示品質が大幅に低下する。又、光特性調節部２１６の第１面２１６ａと第２面２１６ｂ間の角度θが１３０°以上である場合、バックライトアセンブリ４００から出射された光の輝度及び輝度均一性が大幅に減少され、画像の表示品質が大幅に低下する。
【実施例３】
【００５５】
図８は、本発明の第３の実施例によるバックライトアセンブリの断面図である。本発明の第３の実施例によるバックライトアセンブリは光反射層を除くと、第１の実施例のバックライトアセンブリと同じである。従って、同じ部材には第１の実施例と同じ符号を付与して、その重複説明は省略する。
【００５６】
図８を参照すると、収納容器２００の底板２１０の上面２１２上には光反射層２１７が形成される。光反射層２１７は収納容器２００の底板２１０の上面２１２に液体状態の光反射物質、例えば、酸化チタニウム、酸化アルミニウム等をスプレー方式で噴射して形成する。従って、光反射層２１７は、底板２１０の上面２１２上に厚さが薄い薄膜形態で形成される。光反射層２１７は、収納容器２００の底板２１０の光反射率が低い場合、選択的に形成することができる。これと異なり、光反射層２１７は、底板２１０の上面２１２のみならず、収納容器２００の側壁２２０の内側面にも形成することができる。
【実施例４】
【００５７】
〔表示装置〕
図９は、本発明の第４の実施例による表示装置を示す断面図である。
【００５８】
図９を参照すると、表示装置５００は、光源１００、光源１００を固定する収納容器２００、拡散部材２３０、及び表示パネル２４０を含む。
【００５９】
収納容器２００は、底板２１０及び光特性調節部２１６を含む。
【００６０】
底板２１０は、例えば、直六面体形状を有し、底板２１０は上面２１２及び下面２１４を有する。底板２１０の上面２１２は、光源１００と向かい合い、底板２１０の下面２１４は上面２１２と対向する。
【００６１】
直六面体形状を有する底板２１０の周辺部は側壁２２０と連結される。直六面体形状を有する底板２１０によって側壁２２０は、第１長さを有する一対の第１側壁２２２ａ、２２２ｂ、第１長さより短い第２長さを有する一対の第２側壁２２２ｃ、２２２ｄを含む。第１側壁２２２ａ、２２２ｂは、第２側壁２２２ｃ、２２２ｄにそれぞれ連結される。
【００６２】
光特性調節部２１６は、収納容器２００の底板２１０の上面２１２上に形成される。光特性調節部２１６はバックライトアセンブリ４００から出射された光の輝度及び輝度均一性をより向上させる。
【００６３】
光特性調節部２１６は、第１側壁２２２ａ、２２２ｂに対して平行な第１方向に延長され、光特性調節部２１６は、第２側壁２２２ｃ、２２２ｄに対して平行な第２方向に少なくとも２個以上が配置される。互いに隣接した一対の光特性調節部２１６の間に形成された間隔は互いに同じであり、互いに隣接した一対の光特性調節部２１６は互いに平行に配置される。
【００６４】
光特性調節部２１６は、例えば、三角プリズム形態で上面２１２から突出される。光特性調節部２１６は、第１面２１６ａ及び第１面２１６ａに連結された第２面２１６ｂを有する。第１面２１６ａ及び第２面２１６ｂは、好ましくは、光源１００から発生した光を反射及び光の方向を変更して、バックライトアセンブリ４００から出射される光の輝度及び光の輝度均一性を向上させる。
【００６５】
光特性調節部２１６によって収納容器２００の上面２１２には、複数個の光調節領域が形成される。光特性調節部２１６によって形成された光調節領域によってバックライトアセンブリ４００から出射される光の輝度及び光の輝度均一性は調節される。
【００６６】
光特性調節部２１６の高さＨは、光源１００の中心と底板２１０の上面２１２が形成する距離と同じであることが好ましい。前記高さと前記距離が同じである場合、表示装置５００から出射された画像の輝度及び輝度均一性は最適化される。例えば、光特性調節部２１６の高さＨは、約２．５ｍｍ〜約４．５ｍｍであることが好ましい。
【００６７】
又、光特性調節部２１６の第１面２１６ａと第２面２１６ｂが形成する角度θに対応して、表示装置５００から出射された画像の輝度及び輝度均一性は最適化される。例えば、光特性調節部２１６の第１面２１６ａと第２面２１６ｂが形成する角度θが約１１０°〜約１３０°である時、表示装置５００から出射された画像の輝度及び輝度均一性は最適化される。
【００６８】
光源１００は、収納容器２００の底面２１０及び側壁２２０によって形成された収納領域に配置される。
【００６９】
本実施例による光源１００は、例えば、冷陰極線管方式ランプである。冷陰極線管方式ランプは、多様な特徴、例えば、高い輝度、長い寿命、白色光を発生、白熱灯に対して非常に小さい発熱量を有することができる。
【００７０】
又、本実施例による光源１００は、多様な形状、例えば、直線パイプ形状、曲線パイプ形状、Ｕ字形状、及びＣ字形状等を有することができる。本実施例による光源１００は、直線パイプ形状を有する。
【００７１】
直線パイプ形状を有する冷陰極線管方式ランプである光源１００は、収納容器２００の底板２１０に形成された光特性調節部２１６の間に配置される。
【００７２】
拡散部材２３０は、光源１００から発生し表示パネル２４０に向かう光を拡散させて、表示パネル２４０から出射される画像の表示品質をより向上させる。
【００７３】
表示パネル２４０は、薄膜トランジスタ基板２４２、カラーフィルタ基板２４４、及び液晶層２４６を含む。
【００７４】
薄膜トランジスタ基板２４２は、複数個の画素電極がマトリックス形態に配置され、各画素電極には薄膜トランジスタが配置される。薄膜トランジスタは、駆動印刷回路基板から発生した駆動信号を画素電極に印加する。
【００７５】
カラーフィルタ基板２４４は、複数個の画素電極と向かい合う共通電極を含み、各画素電極と対応する位置に形成されたカラーフィルタを含む。
【００７６】
液晶層２４６は、カラーフィルタ基板２４４及び薄膜トランジスタ基板２４２の間に介在され、画素電極及び共通電極の間に形成された電界差によって配列が変更され、変更された配列によって光の透過率を変更させて画像を表示する。
【００７７】
尚、本発明は、上述の実施例に限られるものではない。本発明の技術的範囲から逸脱しない範囲内で多様に変更実施することが可能である。
【図面の簡単な説明】
【００７８】
【図１】本発明の第１の実施例によるバックライトアセンブリを示す断面図である。
【図２】図１の収納容器の平面図である。
【図３】図１のＡ部分の拡大図である。
【図４】図１に示した光特性調節部の高さの変化によってバックライトアセンブリから出射された光の輝度を測定したグラフである。
【図５】図１に示した光特性調節部の高さによってバックライトアセンブリから出射された光の輝度均一性を測定したグラフである。
【図６】図３に示した光特性調節部の形状変更によってバックライトアセンブリから出射された光の輝度を示すグラフである。
【図７】図３に示した光特性調節部の第１面及び第２面の間の角度θによってバックライトアセンブリから出射された光の輝度均一性を測定したグラフである。
【図８】本発明の第３の実施例によるバックライトアセンブリの断面図である。
【図９】本発明の第４の実施例による表示装置を示す断面図である。
【符号の説明】
【００７９】
１００      光源
２００      収納容器
２１０      底板
２１２      底板の上面
２１４      底板の下面
２１６      光特性調節部
２１７      光反射層
２２０      側壁
２３０      拡散板
２４２      薄膜トランジスタ基板
２４４      カラーフィルタ基板
２４６      液晶層
４００      バックライトアセンブリ
５００      表示装置
【図１】
2006196456.tif 000003
【図２】
2006196456.tif 000004
【図３】
2006196456.tif 000005
【図４】
2006196456.tif 000006
【図５】
2006196456.tif 000007
【図６】
2006196456.tif 000008
【図７】
2006196456.tif 000009
【図８】
2006196456.tif 000010
【図９】
2006196456.tif 000011